(57)【特許請求の範囲】
【請求項１】
周縁に沿って複数のドアパン取付け位置を有する防水パンと、
ドア枠を下方から受けるとともに、その一部が防水パンの底を下方から受けるように前記複数のドアパン取付位置の中から選択されたドアパン取付位置に固定されるドアパンとを備え、
前記防水床パンの底に各ドアパン取付位置毎に、前記ドアパンと防水パンとを固定するタッピングねじの下孔が穿設されたねじ受部が設けられ、
各取付け位置に配置された時、ドアパンの前記ねじ受部を臨む部分にドアパンの長手方向に延びる長孔状をした前記下孔にねじ込まれるタッピングねじのねじ通孔が穿設されている浴室ユニット。
【請求項２】
幅の異なる複数種のドアパンを有し、防水パンが各ドアパン毎に複数の取付位置を備えている請求項１に記載の浴室ユニット。
【請求項３】
床面の３方の端縁がほぼ同じレベルに形成されていて、３方の端縁にそれぞれドアパン取付位置が設けられている請求項1または請求項２に記載の浴室ユニットの防水パン。
【請求項４】
長孔がドアパンの長手方向に複数個穿設されている請求項１〜請求項３のいずれかに記載の浴室ユニット。
【発明の詳細な説明】
【０００１】
【発明の属する技術分野】
本発明は、浴室ユニットに関する。
【０００２】
【従来の技術】
従来、浴室ユニットの防水パンの製造方法としては、ハンドレイアップ成形法やＳＭＣ（シートモールディングコンパウンド）トを用いたプレス成形法などが用いられている。
ハンドレイアップ法では、速度の点で生産性がわるく、大量生産することができないものの型コストがやすいため、多品種少量生産に適している。
【０００３】
一方、プレス成形法では、生産速度がはやくなるものの、型コストがかかるため、多品種の生産には適していない。
そこで、浴槽側を除く洗い場床面の３方の端縁が総て同じ高さに形成されている防水パンが提案されている（特開平８−２３２３１６号公報参照）。
【０００４】
すなわち、この防水パンは、洗い場床面の３方の端縁を総て同じ高さにすることで、３方の端縁のいずれにも同じ跨ぎ込み高さでドアを取り付けることができるようにして、一種の防水パンでドア位置の異なるいろいろな浴室に対応することができるようにしてコストダウンを図っている。
ところで、上記のような防水パンにドアを取り付ける場合、まず、防水パン端縁のドア取付位置に当たる部分の立ち上がり壁を切欠くとともに、防水パンの裏面にドアパンを固定するタッピングねじがねじ込まれる下孔を開けたのち、切欠き部にドアパンを配置し、ドアパンに設けられたねじ通孔越しにタッピングねじを下孔に取り付けるようになっている。
【０００５】
しかし、下孔を現地で施工しているので、施工性が悪い。そこで、防水パンの成形時に予想されるドアパン取付位置毎に下孔が穿設されたねじ受部を形成しておく方法が考えられるが、防水パンやドアパンにそり等が若干あるため、ねじ受け部の下孔の位置にドアパンに設けられたねじ通孔が取付位置によっては一致せず、現地でねじ通孔を開け直さなければならなくなる恐れがある。
【０００６】
【発明が解決しようとする課題】
本発明は、このような事情に鑑みて、ドアパンを防水パンの所望の取付位置に確実にかつ作業性よく取り付けることができる浴室ユニットを提供することを目的としている。
【０００７】
【課題を解決するための手段】
このような目的を達成するために、本発明の請求項１に記載の発明にかかる浴室ユニット（以下、「請求項１の浴室ユニットと記す」は、周縁に沿って複数のドアパン取付け位置を有する防水パンと、ドア枠を下方から受けるとともに、その一部が防水パンの底を下方から受けるように前記複数のドアパン取付位置の中から選択されたドアパン取付位置に固定されるドアパンとを備え、前記防水床パンの底に各ドアパン取付位置毎に、前記ドアパンと防水パンとを固定するタッピングねじの下孔が穿設されたねじ受部が設けられ、各取付け位置に配置された時、ドアパンの前記ねじ受部を臨む部分にドアパンの長手方向に延びる長孔状をした前記下孔にねじ込まれるタッピングねじのねじ通孔が穿設されている構成とした。
【０００８】
本発明の請求項２に記載の発明にかかる浴室ユニット（以下、「請求項２の浴室ユニットと記す」は、請求項１の浴室ユニットにおいて、幅の異なる複数種のドアパンを有し、防水パンが各ドアパン毎に複数の取付位置を備えている構成とした。
【０００９】
本発明の請求項３に記載の発明にかかる浴室ユニット（以下、「請求項３の浴室ユニットと記す」は、請求項１または請求項２の浴室ユニットにおいて、床面の３方の端縁がほぼ同じレベルに形成されていて、３方の端縁にそれぞれドアパン取付位置が設けられている構成とした。
【００１０】
本発明の請求項４に記載の発明にかかる浴室ユニット（以下、「請求項４の浴室ユニットと記す」は、請求項１〜請求項３のいずれかの浴室ユニットにおいて、長孔がドアパンの長手方向に複数個穿設されている構成とした。
【００１１】
請求項１〜請求項４の浴室ユニットにおいて、防水パンは、洗い場を形成する洗い場パン部と、浴槽を受ける浴槽パン部とが一体になっていても構わないし、分割されていても構わない。
また、浴槽は、俗にメガネと称される枠状部材にその上端に設けられた鍔状部が係止されるようにしてセットされるようになっていても構わない。
【００１２】
ドアは、引き戸式のもの、折り戸式のもの、スイング式のもののいずれでも構わない。
【００１３】
【発明の実施の形態】
以下に、本発明の実施の形態を、図面を参照しつつ詳しく説明する。
図１〜図８は本発明にかかる浴室ユニットの１つの実施の形態をあらわしている。
【００１４】
図１に示すように、この浴室ユニットＡは、防水パンＢが浴槽を受けるＳＭＣをプレス成形することによって得られる浴槽パン１と、洗い場を構成するＳＭＣをプレス成形することによって得られる洗い場パン２とを連結することによって形成されるようになっているとともに、ドア枠（図示せず）を受けるドアパン３を備えている。
【００１５】
洗い場パン２は、図２に示すように、その床面２１の浴槽パン１との接合端側の中央部に排水孔２２が穿設され、床面２１の接合端側を除く３方の端縁が同じ高さになるように形成されているとともに、床面２１がこの３方の端縁から排水孔２１に向かって傾斜している。
また、洗い場パン２は、床面２１の３方の周縁に沿って壁パネル（図示せず）を受けるパネル受部２３が段状に設けられているとともに、図４および図５に示すように、複数のドアパン取付位置Ｐを備えている。
【００１６】
すなわち、図４（ａ）および図５（ａ）に示すように、洗い場パン２の短手側の端縁に沿ってａ寸法のドアパン取付位置Ｐが1箇所ずつ設けられ、図４（ｃ），（ｄ）および図５（ｃ），（ｄ）に示すように長手側の端縁に沿ってａ寸法のドアパン取付位置Ｐが４箇所、図４（ｂ）および図５（ｂ）に示すように、ａ寸法より幅の広いｂ寸法のドアパン取付位置Ｐが２箇所、図４（ｅ）および図５（ｅ）に示すように、ｂ寸法より幅の広いｃ寸法のドアパン取付位置Ｐが２箇所設けられている。
【００１７】
また、洗い場パン２の裏面には、図３に示すように、奥行き規制リブ２４および幅方向規制リブ２５が下方に向かって延設されているとともに、ドアパン３の固定用ねじ受部２６が設けられている。
奥行き規制リブ２４は、後述ずるドアパン３が各ドアパン取付け位置に配置された時、ドアパンの洗い場パン２側の端縁が当接するようになっている。
【００１８】
また、奥行き規制リブ２４は、ドアパン取付位置を備えた３方の端縁に平行にコ字形を描くように端縁に沿って連続的に設けられている。
幅方向規制リブ２５は、ドアパン３が各ドアパン取付け位置に配置された時、ドアパン３の位置決め片３３がそれぞれ当接するように、各ドアパン取付位置毎に設けられている。
【００１９】
固定用ねじ受部２６は、その中央部に固定用のタッピングねじ５がねじ込まれる下孔２７が穿設されている。
ドアパン３は、図１、図６〜図８に示すように、ドア枠受部３１と、固定部３２と、位置決め片３３とを備えている。
【００２０】
ドア枠受部３１は、ドア枠（図示せず）を下側から受けるようになっているとともに、ドア枠の下枠に入り込んだ湯や水を排水する排水管が通る切欠３４を備えている。
固定部３２は、図６〜図８に示すように、取付位置に取付時に洗い場パン２の下側に入り込み、その端縁から下方に延出する垂下片３５が奥行き規制リブ２４に当接するようになっているとともに、ドアパン３が選択した取付位置に配置されたときに、ネジ受部２６の下孔２７を臨む位置にくる５つの長孔３６を備えている。
【００２１】
５つの長孔３６は、ドアパン３の幅方向に等ピッチで間欠的に穿設されている。
位置決め片３３は、ドア枠受部３１の両端に上方へ延設されていて、ねじ通孔が穿設されているとともに、ドアパン取付位置Ｐに取り付けた時に、このドアパン取付位置Ｐの両端に位置する幅方向規制リブ２５に外側から当接するようになっている。
【００２２】
そして、ドアパン３は、以下のようにして洗い場パン２のドアパン取付位置Ｐに取り付けられるようなっている。
まず、洗い場パン２のドア枠が取り付けられる位置、すなわち、ドアパン取付位置Ｐにあたる部分のパネル受部２３を切除する。
【００２３】
つぎに、ドアパン３をその固定部３２上面にシール材としてのゴムパッキン６を載せた状態で、垂下片３５が奥行き規制リブ２４に当接し、両端の位置決め片３３がそれぞれ幅方向規制リブ２５に当接するように配置する。
そして、長孔３６を介してねじ受部２６の下孔２７にタッピングねじ５をねじ込み固定部３２を洗い場パン２の裏面に固定するとともに、幅方向規制リブ２５の位置決め片３３のねじ通孔３７を臨む位置に下孔を開けたのち、位置決め片３３のねじ通孔越しにこの下孔にタッピングねじをねじ込み、位置決め片３３と幅方向規制リブ２５とを固定することによって所望のドアパン取付位置に取り付けることがてきるようになっている。
【００２４】
この浴室ユニットは、以上のように、洗い場パン2の裏面に各ドアパン取付位置Ｐ毎に予めネジ受部２６が設けられ、このネジ受部２６に下孔２７が予め穿設されているので、施工現場で作業者が下孔２７を穿設するといった作業が不要となる。
また、ドアパン３のねじ通孔が成形後の収縮等の大きいドアパン３の長手方向に延びる長孔３６となっているので、ドアパン３および洗い場パン2の成形ひずみが多少あっても、下孔２７がドアパン３の長孔３６内部を臨む位置に必ずくる。したがって、施工現場でドアパン３にねじ通孔を開け直すといった作業を行わなくても各ドアパン取付位置Ｐにしっかりとドアパン３を固定することができる。
【００２５】
しかも、長孔３６が間欠的に設けられているので、全幅にわたって１つの長孔を設ける場合に比べドアパン３がねじれたりすることが少ない。
ドアパン３が奥行き規制リブ２４と、２つの幅方向規制リブ２５によって確実に位置決めされ、ドア枠を常に正確に取り付けることができる。
【００２６】
また、一種類の洗い場パン２に複数のドアパン取付位置が設けられているので、ドアの配置パターン毎に洗い場パンを用意する必要がない。したがって、ＳＭＣを用いたプレス成形を行うようにしてもコストダウンをはかることができる。
幅の異なる３種類のドアパンを取り付けることができるようになっているので、よりバリエーションが増え、コストダウンをさらに図ることができる。
【００２７】
本発明にかかる浴室ユニットは、上記の実施の形態に限定されない。たとえば、上記の実施の形態では、奥行き規制リブ２４が３方の端縁に沿って連続的に設けられていたが、間欠的に設けられていても構わない。
また、上記の実施の形態では、ドアパン３の固定部端縁に設けられた垂下片３５が奥行き規制リブ２４に当接し、ドアパン３の洗い場パン２内側方向への動きを規制するようになっていたが、ドアパン３のいずれかの部分が当接すればよく必ずしもドアパン３の固定部端縁が当接する必要がない。
【００２８】
さらに、上記の実施の形態では、固定部３２が洗い場パン２の裏面に設けられたねじ受部２６にタッピングねじ５をねじ込むことによって固定されるようになっていたが、垂下片３５を奥行き規制リブ２４にねじ固定するようにしても構わない。
【００２９】
【発明の効果】
本発明にかかる浴室ユニットは、以上のように構成されているので、ドアパンを防水パンの所望の取付位置に確実にかつ作業性よく取り付けることができる。
また、請求項２のように幅の異なる複数のドアパンを取付可能にすれば、よりコストダウンを図ることができる。
【００３０】
さらに、請求項３のようにすれば、よりコストダウンを図ることができる。
請求項４のようにすれば、ドアパンのねじれが少なくなり、ドア枠の取付精度がよくなる。
【図面の簡単な説明】
【図１】本発明にかかる浴室ユニットの１つの実施の形態をあらわし、その防水パン部分の平面図である。
【図２】図１の防水パンを構成する洗い場パンおよびドアパンをあらわす平面図である。
【図３】図２の洗い場パンの底面図である。
【図４】図２の洗い場パンのドアパン取付位置を説明する説明図である。
【図５】図２の洗い場パンのドアパン取付位置を説明する説明図である。
【図６】洗い場パンとドアパンとの取付状態を上方からみた斜視図である。
【図７】洗い場パンとドアパンとの取付状態を下方からみた斜視図である。
【図８】洗い場パンとドアパンとの取付状態を下方からみた斜視図である。
【符号の説明】
Ａ  浴室ユニット
Ｂ  防水パン
Ｐ  ドアパン取付位置
１  浴槽パン
２  洗い場パン
２６  ねじ受部
２７  下孔
３  ドアパン
３６  長孔（ねじ通孔）
５  タッピングねじ
【図１】
0004365517.tif 000002
【図２】
0004365517.tif 000003
【図３】
0004365517.tif 000004
【図４】
0004365517.tif 000005
【図５】
0004365517.tif 000006
【図６】
0004365517.tif 000007
【図７】
0004365517.tif 000008
【図８】
0004365517.tif 000009